(57)【要約】【課題】商品を容易に購入する。【解決手段】画像形成装置１は、制御部１６を備える。制御部１６は、一覧表示制御部１６３、選択受付部１６６、データ要求部１６７、及び画像形成制御部１６８を備える。一覧表示制御部１６３は、ファイルサーバー装置３から一覧データを取得し、一覧を表示する。選択受付部１６６は、一覧からの曲名の選択をユーザーから受け付ける。データ要求部１６７は、ファイルサーバー装置３に対して、ユーザーが選択した曲名に対応する画像形成用データを要求する。画像形成制御部１６８は、画像形成用データを取得し、画像形成用データに基づく商品画像を用紙Ｐに形成する。【選択図】図３
2018013975.tif 000002
【特許請求の範囲】
【請求項１】
表示部と、画像形成部と、前記表示部及び前記画像形成部を制御する制御部とを備え、
前記制御部は、
第１サーバー装置にユーザーのログイン情報を送信し、前記第１サーバー装置にログインするログイン実行部と、
ログイン後に前記第１サーバー装置に対して、複数の商品名の一覧を示す一覧データを要求する一覧要求部と、
前記第１サーバー装置から前記一覧データを取得し、前記表示部を制御して、前記一覧を表示する一覧表示制御部と、
前記一覧からの前記商品名の選択を前記ユーザーから受け付ける選択受付部と、
前記第１サーバー装置に対して、前記ユーザーが選択した前記商品名に対応する画像形成用データを要求するデータ要求部と、
前記画像形成用データを取得し、前記画像形成部を制御して、前記画像形成用データに基づく商品画像をシートに形成する画像形成制御部と
を備える、画像形成装置。
【請求項２】
前記複数の商品名は、前記ユーザーが端末を介して前記第１サーバー装置に登録した複数の商品名を示す、請求項１に記載の画像形成装置。
【請求項３】
前記制御部は、ソート部を更に含み、
前記ソート部は、前記複数の商品名を第１所定条件にしたがってソート処理し、
前記一覧表示制御部は、前記表示部を制御して、ソート処理後の前記複数の商品名の一覧を表示する、請求項１又は請求項２に記載の画像形成装置。
【請求項４】
前記制御部は、フィルター部を更に含み、
前記フィルター部は、前記複数の商品名を第２所定条件にしたがってフィルター処理し、前記複数の商品名のうちの一部の商品名を出力し、
前記一覧表示制御部は、前記表示部を制御して、前記一部の商品名の一覧を表示する、請求項１から請求項３のいずれか１項に記載の画像形成装置。
【請求項５】
人体を検知するセンサーを更に備え、
前記制御部は、
前記センサーの検知結果に基づいて、前記人体の不在を検出する不在検出部と、
前記人間の不在の検出に応じて、前記第１サーバー装置に対して前記ユーザーのログアウトを要求するログアウト要求部と
を更に備える、請求項１から請求項４のいずれか１項に記載の画像形成装置。
【請求項６】
前記制御部は、前記ユーザーが利用可能な金額と、前記ユーザーが選択した前記商品名に対応する前記画像形成用データの価格とに基づいて、前記ユーザーが要求可能な画像形成部数を決定する決定部を更に含む、請求項１から請求項５のいずれか１項に記載の画像形成装置。
【請求項７】
前記画像形成用データの価格は、第Ｍ回目の画像形成の価格と、第Ｎ回目の画像形成の価格とを含み、
第Ｍ回目の画像形成の前記価格と第Ｎ回目の画像形成の前記価格とは異なり、
前記Ｍは１以上の整数であり、前記Ｎは前記Ｍより大きい整数である、請求項６に記載の画像形成装置。
【請求項８】
前記制御部は、前記ユーザーが要求した画像形成部数のうち、画像形成の成功した画像形成部数を計数する計数部を更に含む、請求項７に記載の画像形成装置。
【請求項９】
請求項１から請求項８のいずれか１項に記載の画像形成装置と、
前記画像形成装置及び前記第１サーバー装置と通信する第２サーバー装置と
を備え、
前記第２サーバー装置は、
前記ユーザーが選択した前記商品名に対応するソースデータを前記第１サーバー装置から取得する取得部と、
前記ソースデータを前記画像形成装置が処理可能なデータ形式に変換して、前記画像形成用データを生成する変換部と
を備え、
前記画像形成装置の前記画像形成制御部は、前記第２サーバー装置から前記画像形成用データを取得する、画像形成システム。
【請求項１０】
請求項１から請求項８のいずれか１項に記載の画像形成装置と、
前記第１サーバー装置と
を備え、
前記第１サーバー装置は、
前記画像形成装置の前記ログイン実行部が送信した前記ログイン情報が、前記第１サーバー装置に登録されたログイン情報と一致するか否かを判定する判定部と、
前記ログイン情報が前記登録されたログイン情報と一致したときに、前記ログイン情報に対応する前記一覧データを前記画像形成装置へ送信する一覧送信部と
を備える、画像形成システム。
【発明の詳細な説明】
【技術分野】
【０００１】
本発明は、画像形成装置、及び画像形成システムに関する。
【背景技術】
【０００２】
特許文献１に記載の情報印刷システムでは、携帯電話は、ウェブサーバーに対して、楽譜データのＵＲＬ（Ｕｎｉｆｏｒｍ  Ｒｅｓｏｕｒｃｅ  Ｌｏｃａｔｏｒ）情報を要求する。そして、携帯電話は、ＵＲＬ情報に基づいて、楽譜データを取得するためのＵＲＬ指定コマンドを生成する。更に、携帯電話は、ＵＲＬ指定コマンドを印刷装置に送信する。
【０００３】
印刷装置は、携帯電話からＵＲＬ指定コマンドを受信する。そして、印刷装置は、ＵＲＬ指定コマンドをウェブサーバーに転送し、ウェブサーバーから楽譜データを取得する。更に、印刷装置は、楽譜データに係る楽譜画像（商品画像）を印刷する。
【先行技術文献】
【特許文献】
【０００４】
【特許文献１】特開２００３−１６７６９５号公報
【発明の概要】
【発明が解決しようとする課題】
【０００５】
しかしながら、特許文献１に記載の情報印刷システムでは、ユーザーは、携帯電話を操作して、ウェブサーバーと印刷装置との双方にアクセスすることが要求される。特に、複数の楽譜画像を印刷する場合、１つの楽譜画像を印刷するたびに、携帯電話の操作を繰り返す必要があり、手順が煩雑である。
【０００６】
本発明は、上記課題に鑑みてなされたものであり、簡素な手順によって商品画像をシートに形成できる画像形成装置、及び画像形成システムを提供することを目的としている。
【課題を解決するための手段】
【０００７】
本発明の第１局面の画像形成装置は、表示部と、画像形成部と、前記表示部及び前記画像形成部を制御する制御部とを備える。前記制御部は、ログイン実行部、一覧要求部、一覧表示制御部、選択受付部、データ要求部、及び画像形成制御部を備える。前記ログイン実行部は、前記第１サーバー装置にユーザーのログイン情報を送信し、前記第１サーバー装置にログインする。前記一覧要求部は、ログイン後に前記第１サーバー装置に対して、複数の商品名の一覧を示す一覧データを要求する。前記一覧表示制御部は、前記第１サーバー装置から前記一覧データを取得し、前記表示部を制御して、前記一覧を表示する。前記選択受付部は、前記一覧からの前記商品名の選択を前記ユーザーから受け付ける。前記データ要求部は、前記第１サーバー装置に対して、前記ユーザーが選択した前記商品名に対応する画像形成用データを要求する。前記画像形成制御部は、前記画像形成用データを取得し、前記画像形成部を制御して、前記画像形成用データに基づく商品画像をシートに形成する。
【０００８】
本発明の第２局面の画像形成システムは、前記第１局面の画像形成装置と、前記画像形成装置及び前記第１サーバー装置と通信する第２サーバー装置とを備える。前記第２サーバー装置は、取得部、及び変換部を備える。前記取得部は、前記ユーザーが選択した前記商品名に対応するソースデータを前記第１サーバー装置から取得する。前記変換部は、前記ソースデータを前記画像形成装置が処理可能なデータ形式に変換して、前記画像形成用データを生成する。前記画像形成装置の前記画像形成制御部は、前記第２サーバー装置から前記画像形成用データを取得する。
【０００９】
本発明の第３局面の画像形成システムは、前記第１局面の画像形成装置と、前記第１サーバー装置とを備える。前記第１サーバー装置は、判定部、及び一覧送信部を備える。前記判定部は、前記画像形成装置の前記ログイン実行部が送信した前記ログイン情報が、前記第１サーバー装置に登録されたログイン情報と一致するか否かを判定する。前記一覧送信部は、前記ログイン情報が前記登録されたログイン情報と一致したときに、前記ログイン情報に対応する前記一覧データを前記画像形成装置へ送信する。
を備える
【発明の効果】
【００１０】
本発明の画像形成装置、及び画像形成システムによれば、簡素な手順によって商品画像をシートに形成できる。
【図面の簡単な説明】
【００１１】
【図１】本発明の実施形態に係る画像形成システムの構成を示す図である。
【図２】本発明の実施形態に係る画像形成装置の構成を示す図である。
【図３】本発明の第１実施形態に係る画像形成装置の制御部の機能を示す図である。
【図４】第１実施形態に係るプリントサーバー装置の制御部及びファイルサーバー装置の制御部の機能を示す図である。
【図５】第１実施形態に係る画像形成装置が表示部に表示する一覧を示す図である。
【図６】第１実施形態に係る画像形成システムの処理を示すフローチャートである。
【図７】第１実施形態に係る画像形成システムの処理を示すブロック図である。
【図８】第１実施形態に係る画像形成装置の楽譜選択処理を示すフローチャートである。
【図９】第１実施形態に係る画像形成装置の課金処理を示すフローチャートである。
【図１０】第１実施形態に係る画像形成装置の課金処理を示すブロック図である。
【図１１】本発明の第２実施形態に係る画像形成システムの処理を示すブロック図である。
【発明を実施するための形態】
【００１２】
以下、本発明の実施形態について、図面（図１〜図１１）を参照しながら説明する。なお、図中、同一又は相当部分については同一の参照符号を付して説明を繰り返さない。
【００１３】
＜基本構成＞
図１及び図２を参照して、本発明の実施形態に係る画像形成システム１００の構成について説明する。図１は、画像形成システム１００の構成を示す図である。画像形成システム１００は、画像形成装置１、プリントサーバー装置２、ファイルサーバー装置３、ウェブサーバー装置４、及び端末装置５を備えている。画像形成装置１、プリントサーバー装置２、ファイルサーバー装置３、ウェブサーバー装置４、及び端末装置５は、互いにネットワークＮＷを介して通信する。ネットワークＮＷは、例えば、インターネット、ＷＡＮ（Ｗｉｄｅ  Ａｒｅａ  Ｎｅｔｗｏｒｋ）、及びＬＡＮ（Ｌｏｃａｌ  Ａｒｅａ  Ｎｅｔｗｏｒｋ）を含む。
【００１４】
画像形成装置１は、プリントサーバー装置２から画像形成用データを取得し、画像形成用データに基づく画像を用紙Ｐに形成する。用紙Ｐは、「シート」の一例に相当する。画像形成用データは、画像形成装置１が処理可能なデータ形式を有する。本実施形態では、「画像形成用データ」とは、ページ記述言語（ＰＤＬ：Ｐａｇｅ  Ｄｅｓｃｒｉｐｔｉｏｎ  Ｌａｎｇｕａｇｅ）で作成されたデータのことである。ページ記述言語とは、コンピューター上で作成された文書及び／又は画像を印刷する際に、画像形成装置１への出力イメージを記述して画像形成装置１に対して指示する言語のことである。
【００１５】
プリントサーバー装置２は、ファイルサーバー装置３からソースデータを取得し、ソースデータを画像形成用データに変換する。ソースデータは、テキストデータ及び／又は画像データを含む。そして、プリントサーバー装置２は、画像形成用データを画像形成装置１に送信する。プリントサーバー装置２は、「第２サーバー装置」に相当する。
【００１６】
プリントサーバー装置２は、制御部２１を備える。制御部２１は、プロセッサー２１Ａ及び記憶部２１Ｂを備える。プロセッサー２１Ａは、例えば、ＣＰＵ（Ｃｅｎｔｒａｌ  Ｐｒｏｃｅｓｓｉｎｇ  Ｕｎｉｔ）を含む。記憶部２１Ｂは、例えば、半導体メモリーを含み、ＨＤＤ（Ｈａｒｄ  Ｄｉｓｋ  Ｄｒｉｖｅ）を含んでもよい。記憶部２１Ｂは、制御プログラムを記憶する。
【００１７】
ファイルサーバー装置３は、種々のソースデータを記憶しており、画像形成装置１からの要求に応じて、プリントサーバー装置２に対してソースデータを送信する。ファイルサーバー装置３は、「第１サーバー装置」に相当する。
【００１８】
ファイルサーバー装置３は、制御部３１を備える。制御部３１は、プロセッサー３１Ａ及び記憶部３１Ｂを備える。プロセッサー３１Ａは、例えば、ＣＰＵを含む。記憶部３１Ｂは、例えば、半導体メモリーを含み、ＨＤＤを含んでもよい。記憶部３１Ｂは、制御プログラムを記憶する。
【００１９】
ウェブサーバー装置４は、端末装置５からの要求に応じて、商品の登録処理を行う。ウェブサーバー装置４は、商品の登録履歴をファイルサーバー装置３に記憶させる。本実施形態では、「商品」は「楽譜」である。
【００２０】
ウェブサーバー装置４は、制御部４１を備える。制御部４１は、プロセッサー４１Ａ及び記憶部４１Ｂを備える。プロセッサー４１Ａは、例えば、ＣＰＵを含む。記憶部４１Ｂは、例えば、半導体メモリーを含み、ＨＤＤを含んでもよい。記憶部４１Ｂは、制御プログラムを記憶する。プロセッサー４１Ａは、記憶部４１Ｂから制御プログラムを読み出して実行し、楽譜を登録するためのウェブサイトを管理する。
【００２１】
端末装置５は、ネットワークＮＷを介して、ウェブサーバー装置４にアクセスし、ウェブサイトを表示する。ユーザーは、端末装置５を介してウェブサイトにアクセスし、楽譜を登録する。
【００２２】
端末装置５は、ユーザーからの操作を受け付けて、ウェブサーバー装置４に対して楽譜の登録を要求する。具体的には、端末装置５は、ウェブサーバー装置４に対して、購入する予定の楽譜、及び／又は、購入する候補の楽譜の登録を要求する。「購入する予定の楽譜の登録」は、決済処理のために楽譜を一時的に記憶部３１Ｂに記憶すること（例えば、ショッピングカートに楽譜を登録すること）を示す。「購入する候補の楽譜の登録」は、検索処理を省略するために楽譜を記憶部３１Ｂに記憶すること（例えば、お気に入りに登録すること）を示す。ウェブサーバー装置４は、端末装置５からの要求に応じて、ファイルサーバー装置３に楽譜を登録する。ファイルサーバー装置３は、ユーザーのログイン情報と対応付けて、ユーザーから登録を要求された楽譜の曲名データと登録年月日データと価格データとを記憶部３１Ｂに記憶する。曲名データは、楽譜の曲名を示す。登録年月日データは、楽譜が登録された年月日を示す。価格データは、楽譜の価格を示す。曲名は、「商品名」の一例に相当する。曲名データと登録年月日データと価格データとは一覧データに含まれる。端末装置５は、例えば、パーソナルコンピューター、タブレット端末、及びスマートフォンを含む。
【００２３】
なお、本実施形態では、画像形成システム１００がファイルサーバー装置３及びウェブサーバー装置４を備えるが、本発明はこれに限定されない。ファイルサーバー装置３の機能及びウェブサーバー装置４の機能を、１台のサーバー装置で実現する形態でもよい。
【００２４】
次に、図２を参照して、本発明の実施形態に係る画像形成装置１について説明する。図２は、画像形成装置１の構成を示す図である。図２に示すように、画像形成装置１は、カラー複写機である。画像形成装置１は、用紙Ｐ上に画像を形成する。具体的には、画像形成装置１は、操作表示部１１、給紙部１２、搬送部Ｌ、画像形成部１４、定着部１８、排出部１９、及び、制御部１６を備える。
【００２５】
操作表示部１１は、ユーザーからの操作を受け付けると共に、種々の情報を表示する。操作表示部１１は、表示部１１１を備える。表示部１１１は、例えば、ＬＣＤ（Ｌｉｑｕｉｄ  Ｃｒｙｓｔａｌ  Ｄｉｓｐｌａｙ）とタッチセンサーとを有する。
【００２６】
給紙部１２は、用紙Ｐを搬送部Ｌへ供給する。搬送部Ｌは、用紙Ｐを、画像形成部１４及び定着部１８を経由して排出部１９まで搬送する。
【００２７】
画像形成部１４は、電子写真方式により、用紙Ｐに画像を形成する。定着部１８は、用紙Ｐを加熱及び加圧し、用紙Ｐに形成された画像を用紙Ｐに定着する。排出部１９は、用紙Ｐを画像形成装置１の外部へ排出する。
【００２８】
制御部１６は、プロセッサー１６Ａ、及び記憶部１６Ｂを備え、画像形成装置１の動作を制御する。プロセッサー１６Ａは、例えば、ＣＰＵを含む。記憶部１６Ｂは、例えば、半導体メモリーを含み、ＨＤＤを含んでもよい。記憶部１６Ｂは、制御プログラムを記憶する。
【００２９】
＜第１実施形態＞
次に、図１〜図１０を参照して、本発明の第１実施形態に係る画像形成装置１の機能について説明する。図３は、画像形成装置１の制御部１６の機能を示す図である。図３に示すように、制御部１６は、ログイン実行部１６１、一覧要求部１６２、一覧表示制御部１６３、ソート部１６４、フィルター部１６５、選択受付部１６６、データ要求部１６７、画像形成制御部１６８、決定部１６９、計数部１７０、不在検出部１７１、及びログアウト要求部１７２を備える。具体的には、図２及び図３に示すように、制御部１６のプロセッサー１６Ａは、記憶部１６Ｂから制御プログラムを読み出して実行し、ログイン実行部１６１、一覧要求部１６２、一覧表示制御部１６３、ソート部１６４、フィルター部１６５、選択受付部１６６、データ要求部１６７、画像形成制御部１６８、決定部１６９、計数部１７０、不在検出部１７１、及びログアウト要求部１７２として機能する。
【００３０】
画像形成装置１は、センサーＳを更に備える。センサーＳは、人体の有無を検知する。例えば、センサーＳは、焦電型赤外人感センサーであり、人体から放出されている遠赤外線（輻射熱）を検知する。
【００３１】
ログイン実行部１６１は、ファイルサーバー装置３にユーザーのログイン情報を送信し、ファイルサーバー装置３にログインする。
【００３２】
一覧要求部１６２は、ログイン後にファイルサーバー装置３に対して、ログイン情報に対応付けられた一覧データを要求する。一覧データは、複数の楽譜の曲名の一覧を示す。具体的には、一覧データには、曲名データ、登録年月日データ、及び価格データが含まれる。以下、「楽譜の曲名」を「曲名」と記載する場合がある。
【００３３】
一覧表示制御部１６３は、ファイルサーバー装置３から、一覧データを取得し、表示部１１１を制御して、複数の曲名の一覧を表示する。
【００３４】
ソート部１６４は、複数の曲名をソート条件にしたがってソート処理する。例えば、ソート条件は、複数の曲名をアルファベット順に並べ替えることを示す。一覧表示制御部１６３は、表示部１１１を制御して、ソート処理後の複数の曲名の一覧を表示する。「ソート条件」は「第１所定条件」に相当する。
【００３５】
フィルター部１６５は、複数の曲名をフィルター条件にしたがってフィルター処理し、複数の曲名のうちの一部の曲名を出力する。例えば、フィルター条件は、複数の曲名から、先頭のアルファベットがＡ〜Ｈの曲名を抽出して、出力することを示す。一覧表示制御部１６３は、表示部１１１を制御して、一部の楽譜の曲名の一覧を表示する。「フィルター条件」は「第２所定条件」に相当する。
【００３６】
選択受付部１６６は、一覧からの曲名の選択をユーザーから受け付ける。例えば、選択受付部１６６は、表示部１１１に表示された一覧から、ユーザーによる操作表示部１１の操作に応じて曲名の選択を受け付ける。
【００３７】
データ要求部１６７は、ファイルサーバー装置３に対して、ユーザーが選択した曲名に対応する画像形成用データを要求する。画像形成用データは、曲名に対応する楽譜データを含む。「曲名に対応する楽譜データ」は、「商品名に対応する商品データ」の一例である。
【００３８】
画像形成制御部１６８は、画像形成用データを取得し、画像形成部１４を制御して、画像形成用データに基づく楽譜画像を用紙Ｐに形成する。「楽譜画像」とは、楽譜を表す画像のことである。「楽譜画像」は「商品画像」の一例である。「商品画像」とは、商品を表す画像のことである。
【００３９】
決定部１６９は、ユーザーが利用可能な金額と、ユーザーが選択した曲名に対応する画像形成用データの価格とに基づいて、ユーザーが要求可能な画像形成部数を決定する。「画像形成部数」は、生成する楽譜の部数を示す。楽譜は、楽譜画像を用紙Ｐに形成することによって生成される。
【００４０】
計数部１７０は、ユーザーが要求した画像形成部数のうち、画像形成の成功した用紙Ｐの画像形成部数を計数する。
【００４１】
不在検出部１７１は、センサーＳの検知結果に基づいて、人体の不在を検出する。
【００４２】
ログアウト要求部１７２は、不在検出部１７１による人間の不在の検出に応じて、ファイルサーバー装置３に対してユーザーのログアウトを要求する。
【００４３】
以上、図１〜図３を参照して説明したように、一覧表示制御部１６３が複数の曲名の一覧を表示部１１１に表示し、選択受付部１６６が一覧からの曲名の選択をユーザーから受け付ける。また、画像形成制御部１６８が、ユーザーが選択した曲名に対応する画像形成用データを取得し、画像形成用データに基づく楽譜画像を用紙Ｐに形成する。よって、ユーザーは、画像形成装置１において、所望する楽譜の曲名を一覧から選択すればよいため、楽譜画像（商品画像）を用紙Ｐに簡素な手順で形成（印刷）できる。
【００４４】
また、複数の曲名は、ユーザーが端末装置５を介してファイルサーバー装置３に登録した複数の曲名を含む。よって、ユーザーが登録した曲名の一覧を表示部１１１に表示するため、ユーザーは、登録した曲名を選択することができる。したがって、ユーザーは、画像形成装置１において、所望する楽譜の曲名を一覧から選択すればよいため、登録した曲名（商品名）に対応する楽譜画像（商品画像）を用紙Ｐに簡素な手順で形成できる。
【００４５】
更に、不在検出部１７１が人間の不在を検出したときに、ログアウト要求部１７２は、ファイルサーバー装置３に対してユーザーのログアウトを要求する。よって、ユーザーが画像形成装置１から離れた場合には、ファイルサーバー装置３はユーザーのログアウトを実行する。したがって、画像形成装置１を使用していないにも拘らず、ファイルサーバー装置３にユーザーがログインしているために、他のユーザーが画像形成装置１を使用できない事態を回避できる。また、他のユーザーが無断で楽譜画像を用紙Ｐに形成することを抑制でき、セキュリティーを向上できる。
【００４６】
なお、第１実施形態では、不在検出部１７１が人間の不在を検出したときに、ログアウト要求部１７２は、ファイルサーバー装置３に対してユーザーのログアウトを要求するが、本発明はこれに限定されない。例えば、ファイルサーバー装置３にユーザーがログインしている状態で、不在検出部１７１が人間の不在を検出したときに、画像形成装置１がアラームを出力する形態でもよい。この形態では、ユーザーの意に反してファイルサーバー装置３からログアウトすることを回避できる。
【００４７】
また、第１実施形態では、商品が楽譜であるが、本発明はこれに限定されない。商品を表す画像、つまり、商品画像が用紙Ｐに形成できるものであればよい。例えば、商品が写真である形態でもよいし、商品が文献である形態でもよいし、商品が漫画である形態でもよい。
【００４８】
次に、図１及び図４を参照して、プリントサーバー装置２の制御部２１及びファイルサーバー装置３の制御部３１の機能について説明する。図４は、制御部２１及び制御部３１の機能を示す図である。
【００４９】
図４に示すように、制御部２１は、取得部２１１、及び変換部２１２を備える。具体的には、図１及び図４に示すように、制御部２１のプロセッサー２１Ａは、記憶部２１Ｂから制御プログラムを読み出して実行し、取得部２１１、及び変換部２１２として機能する。
【００５０】
また、制御部３１は、判定部３１１、一覧送信部３１２、及びデータ送信部３１３を備える。具体的には、図１及び図４に示すように、制御部３１のプロセッサー３１Ａは、記憶部３１Ｂから制御プログラムを読み出して実行し、判定部３１１、一覧送信部３１２、及びデータ送信部３１３として機能する。
【００５１】
取得部２１１は、ユーザーが選択した曲名に対応するソースデータをファイルサーバー装置３（データ送信部３１３）から取得する。ソースデータは、テキストデータ及び画像データの少なくとも一方を含む。本実施形態では、ソースデータは、曲名に対応する楽譜データを含む。「曲名に対応する楽譜データ」は、「商品名に対応する商品データ」の一例である。ただし、ソースデータのデータ形式は、画像形成用データのデータ形式と異なる。
【００５２】
変換部２１２は、ソースデータを画像形成装置１が処理可能なデータ形式に変換して、画像形成用データを生成する。例えば、変換部１７４は、ソースデータをページ記述言語で記述し、画像形成用データを生成する。画像形成装置１の画像形成制御部１６８は、変換部２１２から画像形成用データを取得する。
【００５３】
判定部３１１は、画像形成装置１のログイン実行部１６１が送信したログイン情報が、ファイルサーバー装置３に登録されたログイン情報と一致するか否かを判定する。具体的には、ファイルサーバー装置３の記憶部３１Ｂは、ログイン情報を記憶する。判定部３１１は、ログイン実行部１６１から受信したログイン情報が、記憶部３１Ｂに記憶されたログイン情報のいずれかと一致するか否かを判定する。
【００５４】
一覧送信部３１２は、ログイン実行部１６１から受信したログイン情報が、記憶部３１Ｂに記憶されたログイン情報のいずれかと一致したときに、以下の処理を行う。すなわち、一覧送信部３１２は、受信したログイン情報に対応する一覧データを画像形成装置１の一覧表示制御部１６３へ送信する。
【００５５】
データ送信部３１３は、画像形成装置１のデータ要求部１６７から曲名に対応する画像形成用データが要求された場合に、曲名に対応するソースデータをプリントサーバー装置２の取得部２１１へ送信する。
【００５６】
以上、図１及び図４を参照して説明したように、ログイン実行部１６１から受信したログイン情報が、記憶部３１Ｂが記憶している複数のログイン情報のうちいずれかと一致したときに、一覧送信部３１２は、以下の処理を行う。すなわち、一覧送信部３１２は、ログイン情報に対応する一覧データを画像形成装置１の一覧表示制御部１６３へ送信する。よって、一覧表示制御部１６３はログイン情報に対応する一覧データを容易に取得できる。
【００５７】
次に、図３及び図５を参照して、曲名一覧６００について説明する。図５は、画像形成装置１（一覧表示制御部１６３）が表示部１１１に表示する曲名一覧６００を示す図である。図５に示すように、曲名一覧６００は、曲名６０１、登録年月日６０２、第１価格６０３及び第２価格６０４を含む。曲名一覧６００は、「一覧」の一例に相当する。
【００５８】
曲名６０１は、ユーザーがファイルサーバー装置３に登録した楽譜の曲名を示す。登録年月日６０２は、ユーザーが楽譜を登録した年月日を示す。第１価格６０３、及び第２価格６０４は、ユーザーが登録した楽譜の価格を示す。第１価格６０３は、１回目に画像形成される楽譜の価格を示す。第２価格６０４は、２回目以降に画像形成される楽譜の価格を示す。
【００５９】
ユーザーは、例えば、表示部１１１に表示された曲名一覧６００の曲名６０１を参照して、所望する楽譜を選択し、楽譜画像を用紙Ｐに形成（印刷）することができる。
【００６０】
また、複製ができないように楽譜画像が構成されていることが好ましい。複製ができないようにするための構成は、紙幣に用いられている周知の技術を利用できる。
【００６１】
次に、図１〜図７を参照して、画像形成システム１００の処理について説明する。図６は、画像形成システム１００の処理を示すフローチャートである。図７は、画像形成システム１００の処理を示すブロック図である。
【００６２】
図６及び図７に示すように、ステップＳ１０１において、ユーザーが端末装置５を操作して、ウェブサーバー装置４にアクセスして楽譜の登録を要求する。具体的には、ユーザーは、端末装置５を操作して、ウェブサーバー装置４にアクセスし、所望の楽譜を検索し、所望の楽譜の登録を要求する。
次に、ステップＳ１０３において、ファイルサーバー装置３は、登録データをウェブサーバー装置４から取得して記憶する。登録データをウェブサーバー装置４に記憶することによって、楽譜の登録が行われる。
登録データは、登録を要求された楽譜に付属するデータである。具体的には、登録データは、ログイン情報、曲名データ、登録年月日データ、及び価格データを含む。ログイン情報は、楽譜を登録したユーザーのＩＤ（Ｉｄｅｎｔｉｆｉｃａｔｉｏｎ）、及びパスワードのような情報を示す。曲名データは、ユーザーが登録した楽譜の曲名を示す。登録年月日データは、ユーザーが楽譜登録した年月日を示す。価格データは、ユーザーが登録した楽譜の価格を示す。
【００６３】
次に、ステップＳ１０５において、画像形成装置１のログイン実行部１６１は、ファイルサーバー装置３にユーザーのログイン情報を送信する。そして、判定部３１１は、ログイン実行部１６１が送信したログイン情報が、ファイルサーバー装置３に登録されているログイン情報と一致するか否かを判定する。
そして、ステップＳ１０７において、一覧要求部１６２は、ファイルサーバー装置３に対して、複数の曲名の一覧を示す一覧データＤＡを要求する。また、画像形成装置１が送信したログイン情報がファイルサーバー装置３に登録されているログイン情報と一致すると判定部３１１が判定した場合に、一覧送信部３１２は、以下の処理を行う。すなわち、一覧送信部３１２は、画像形成装置１が送信したログイン情報を含む複数の登録データに基づいて一覧データＤＡを作成する。そして、一覧送信部３１２は、ログイン情報に対応する一覧データＤＡを画像形成装置１へ送信する。また、一覧表示制御部１６３は、ファイルサーバー装置３から一覧データＤＡを取得し、表示部１１１を制御して、一覧を表示する。
【００６４】
次に、ステップＳ１０９において、画像形成装置１が「楽譜選択処理」を行う。「楽譜選択処理」は、ユーザーの指示にしたがって表示部１１１に表示された一覧に対してソート処理及びフィルター処理を実行し、ユーザーから曲名の選択を受け付ける処理である。
そして、ステップＳ１１１において、画像形成装置１のデータ要求部１６７がファイルサーバー装置３に対して、ユーザーが選択した曲名に対応する画像形成用データＤＣを要求する。データ送信部３１３は、曲名に対応するソースデータＤＢをプリントサーバー装置２へ送信する。
次に、ステップＳ１１３において、取得部２１１は、ファイルサーバー装置３からソースデータＤＢを取得する。
そして、ステップＳ１１５において、変換部２１２は、ソースデータＤＢを画像形成装置１が処理可能なデータ形式に変換して、画像形成用データＤＣを生成する。
【００６５】
次に、ステップＳ１１７において、画像形成制御部１６８は、プリントサーバー装置２から画像形成用データＤＣを取得する。
そして、ステップＳ１１９において、画像形成制御部１６８は、画像形成用データＤＣに基づく楽譜画像を用紙Ｐに形成し、処理が終了する。
【００６６】
以上、図１〜図７を参照して説明したように、変換部２１２が画像形成用データＤＣを生成する。そして、画像形成制御部１６８が変換部２１２から画像形成用データＤＣを取得する。よって、画像形成装置１が、ソースデータＤＢから画像形成用データＤＣを生成する必要がない。したがって、画像形成装置１の制御部１６の負荷を軽減できる。
【００６７】
次に、図３及び図８を参照して、「楽譜選択処理」について説明する。図８は、画像形成装置１の楽譜選択処理を示すフローチャートである。
図８に示すように、ステップＳ２０１において、ソート部１６４が、ユーザーの操作表示部１１に対する操作に基づいて、ソート処理する旨の要求が有るか否かを判定する。
ソート処理する旨の要求が無いと判定した場合（ステップＳ２０１でＮＯ）には、処理がステップＳ２０７に進む。ソート処理する旨の要求が有ると判定した場合（ステップＳ２０１でＹＥＳ）には、処理がステップＳ２０３に進む。
そして、ステップＳ２０３において、ソート部１６４が、ユーザーの操作表示部１１に対する操作に基づいて、ソート条件を受け付ける。
次に、ステップＳ２０５において、ソート部１６４が、一覧データＤＡに対して、ソート条件に従ってソート処理を実行する。
【００６８】
次に、ステップＳ２０７において、フィルター部１６５が、ユーザーの操作表示部１１に対する操作に基づいて、フィルター処理をする旨の要求が有るか否かを判定する。
フィルター処理をする旨の要求が無いと判定した場合（ステップＳ２０７でＮＯ）には、処理がステップＳ２１３に進む。フィルター処理をする旨の要求が有ると判定した場合（ステップＳ２０７でＹＥＳ）には、処理がステップＳ２０９に進む。
そして、ステップＳ２０９において、フィルター部１６５が、ユーザーの操作表示部１１に対する操作に基づいて、フィルター条件を受け付ける。
次に、ステップＳ２１１において、フィルター部１６５が、一覧データＤＡに対して、フィルター条件に従ってフィルター処理を実行する。
【００６９】
そして、ステップＳ２１３において、一覧表示制御部１６３が、一覧データＤＡを表示する。
次に、ステップＳ２１５において、選択受付部１６６が、ユーザーの操作表示部１１に対する操作に基づいて、曲名の選択を受け付け、処理が終了する。
【００７０】
図３及び図８を参照して説明したように、ソート部１６４は、ソート条件に従って一覧データＤＡに対するソート処理を実行する。したがって、一覧データＤＡをユーザーが所望する順番に並べ替えることができる。その結果、ユーザーが曲名を選択し易い一覧を表示部１１１に表示でき、更に、ユーザーが曲名を容易に選択できる。
【００７１】
また、フィルター部１６５は、フィルター条件に従って一覧データＤＡに対するフィルター処理を実行する。したがって、一覧データＤＡから、ユーザーが選択する可能性のない曲名又は可能性の低い曲名を削除できる。その結果、一覧に表示する曲数を削減でき、更に、ユーザーが曲名を容易に選択できる。
【００７２】
なお、本発明の実施形態では、画像形成装置１が、ソート部１６４、及びフィルター部１６５を備えるが、本発明はこれに限定されない。画像形成装置１が、ソート部１６４、又はフィルター部１６５を備える形態でもよい。この形態では、画像形成装置１の制御部１６の構成を簡略化できる。
【００７３】
次に、図３、図５、図９及び図１０を参照して、「課金処理」について説明する。「課金処理」は、ユーザーに請求する課金金額ＰＣを決定する処理を示す。図９は、画像形成装置１の「課金処理」を示すフローチャートである。図１０は、画像形成装置１の「課金処理」を示すブロック図である。
【００７４】
図９及び図１０に示すように、ステップＳ３０１において、決定部１６９は、ユーザーが利用可能な金額ＣＵをウェブサーバー装置４から取得する。金額ＣＵは、例えば、前払い金額の残高である。
次に、ステップＳ３０３において、決定部１６９は、画像形成用データＤＣの価格Ｃ１及び価格Ｃ２をウェブサーバー装置４から取得する。価格Ｃ１及び価格Ｃ２は、一覧データＤＡの価格データに含まれる。
価格Ｃ１は、図５の第１価格６０３に対応し、価格Ｃ２は、図５の第２価格６０４に対応する。価格Ｃ１、及び価格Ｃ２は、本実施形態では、楽譜の価格Ｃ１及び価格Ｃ２である。価格Ｃ１は、Ｍ回目の画像形成の価格を示す。Ｍは、１以上の整数であり、例えば、「１」である。すなわち、価格Ｃ１は、例えば、１回目に画像形成される楽譜の価格を示す。価格Ｃ２は、Ｎ回目の画像形成の価格を示す。Ｎは、Ｍより大きい整数であり、例えば、２以上である。すなわち、価格Ｃ２は、例えば、２回目以降に画像形成される楽譜の価格を示す。
【００７５】
そして、ステップＳ３０５において、決定部１６９は、要求可能な画像形成部数（印刷部数）ＮＰＳを決定し、表示部１１１に表示する。
具体的には、決定部１６９は、金額ＣＵ、価格Ｃ１、及び価格Ｃ２に基づき、画像形成部数ＮＰＳを決定する。更に具体的には、次の（１）式を満たす最大の画像形成部数ＮＰを、画像形成部数ＮＰＳとして決定する。
Ｃ１＋Ｃ２×（ＮＰ−１）≦ＣＵ      （１）
【００７６】
次に、ステップＳ３０７において、画像形成制御部１６８は、ユーザーの操作表示部１１に対する操作に基づき、画像形成部数ＮＰを受け付ける。
画像形成部数ＮＰが、画像形成部数ＮＰＳより大きい場合には、画像形成制御部１６８は、金額が不足する旨のメッセージを表示部１１１に表示して、再度、画像形成部数ＮＰを受け付ける。
そして、ステップＳ３０８において、画像形成制御部１６８は、画像形成用データＤＣに基づく楽譜画像を用紙Ｐに形成する。
【００７７】
次に、ステップＳ３１１において、計数部１７０は、ユーザーが要求した画像形成部数ＮＰのうち、画像形成の成功した用紙Ｐの画像形成部数ＮＰＵを計数する。
そして、ステップＳ３１３において、計数部１７０は、画像形成部数ＮＰＵをファイルサーバー装置３に送信する。ファイルサーバー装置３は、画像形成部数ＮＰＵ、価格Ｃ１、及び価格Ｃ２に基づき、課金金額ＰＣを算出し、画像形成装置１に送信する。具体的には、ファイルサーバー装置３は、次の（２）式によって課金金額ＰＣを算出する。また、ファイルサーバー装置３は、画像形成部数ＮＰＵを登録データとして記憶部３１Ｂに記憶する。
ＰＣ＝Ｃ１＋（ＮＰＵ−１）×Ｃ２      （２）
次に、ステップＳ３１５において、画像形成制御部１６８は、ファイルサーバー装置３から課金金額ＰＣを受信し、課金金額ＰＣを表示部１１１に表示して、処理が終了する。
【００７８】
以上、図３、図９及び図１０を参照して説明したように、決定部１６９が、金額ＣＵ、価格Ｃ１、及び価格Ｃ２に基づいて、画像形成部数ＮＰＳを決定し、表示部１１１に表示する。よって、ユーザーは、要求可能な画像形成部数ＮＰＳを知ることができる。したがって、ユーザーが画像形成部数ＮＰＳより多い画像形成部数ＮＰの印刷を要求する事態を回避できる。その結果、ユーザーの利便性を向上できる。
【００７９】
また、画像形成用データＤＣの価格は、１回目の画像形成の価格Ｃ１、及び２回目以降の画像形成の価格Ｃ２を含む。よって、ウェブサーバー装置４、及びファイルサーバー装置３を所有する楽譜提供者は、画像形成部数ＮＰＵに応じて楽譜の価格を適正に決定することができる。また、画像形成部数ＮＰＵに応じて課金されるため、楽譜画像が用紙Ｐに無制限に形成されることを抑制できる。
【００８０】
更に、計数部１７０は、画像形成の成功した用紙Ｐの画像形成部数ＮＰＵを計数するため、画像形成部数ＮＰＵに基づいて課金金額ＰＣを決定できる。よって、画像形成が失敗した場合に、画像形成が成功していない用紙Ｐの部数に対して課金される事態を回避できる。つまり、適正に課金ができる。
【００８１】
なお、本実施形態では、画像形成用データＤＣの価格が、１回目の画像形成の価格Ｃ１、及び２回目以降の画像形成の価格Ｃ２を含むが、本発明はこれに限定されない。画像形成用データの価格が、第Ｍ回目の画像形成の価格ＣＭと、第Ｎ回目の画像形成の価格ＣＮとを含む形態でもよい。Ｍは１以上の整数であり、ＮはＭより大きい整数である。価格ＣＮは、価格ＣＭとは異なる。例えば、Ｍが、１〜３であり、Ｎが４以上である。この形態では、ウェブサーバー装置４、及びファイルサーバー装置３を所有する楽譜提供者は、Ｍ、Ｎ、価格ＣＭ、及び価格ＣＮを適正な値に決定することによって、楽譜の価格を更に適正に決定することができる。
【００８２】
＜第２実施形態＞
次に、図１１を参照して、本発明の第２実施形態に係る画像形成システム２００について説明する。画像形成システム２００は、プリントサーバー装置２を備えない点で、第１実施形態に係る画像形成システム１００と相違している。また、画像形成システム２００の画像形成装置１の機能が、画像形成システム１００の画像形成装置１の機能と相違している。
【００８３】
具体的には、画像形成装置１が、画像形成システム１００におけるプリントサーバー装置２の機能を備える。すなわち、図１１に示すように、画像形成装置１の制御部１６は、図３に示すログイン実行部１６１〜ログアウト要求部１７２に加えて、図４に示す取得部２１１に対応する取得部１７３と、図４に示す変換部２１２に対応する変換部１７４とを備える。
【００８４】
取得部１７３は、ユーザーが選択した曲名に対応するソースデータを第１画像形成用データとしてファイルサーバー装置３（データ送信部３１３）から取得する。ソースデータは、テキストデータ及び画像データの少なくとも一方を含む。「第１画像形成用データ」は「画像形成用データ」に相当する。
【００８５】
変換部１７４は、第１画像形成用データを画像形成装置１が処理可能なデータ形式に変換して、第２画像形成用データを生成する。例えば、変換部１７４は、第１画像形成用データをページ記述言語で記述し、第２画像形成用データを生成する。そして、画像形成制御部１６８は、画像形成部１４を制御して、第２画像形成用データに基づく楽譜画像を用紙Ｐに形成する。なお、第２画像形成用データは、第１画像形成用データに基づいて生成されるため、楽譜画像は第１画像形成用データに基づく画像である。
【００８６】
画像形成システム２００は、プリントサーバー装置２を備えないため、画像形成システム１００と比較して構成を簡素化できる。
【００８７】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（１１））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であり、特に限定されるものではなく、本発明の構成から実質的に逸脱しない範囲で種々の変更が可能である。
【００８８】
（１）図１を参照して説明したように、画像形成装置１、プリントサーバー装置２、ファイルサーバー装置３、ウェブサーバー装置４、及び端末装置５は、互いにネットワークＮＷを介して通信するが、本発明はこれに限定されない。以下の通信が可能な形態であればよい。
画像形成装置１が、プリントサーバー装置２、ファイルサーバー装置３、ウェブサーバー装置４及び端末装置５と通信する。
ファイルサーバー装置３がプリントサーバー装置２及びウェブサーバー装置４と通信する。
端末装置５がファイルサーバー装置３と通信する。
【００８９】
（２）図１を参照して説明したように、端末装置５がウェブサーバー装置４に対して楽譜の登録を要求するが、本発明はこれに限定されない。画像形成装置１がウェブサーバー装置４に対して楽譜の登録を要求する形態でもよい。また、端末装置５及び／又は画像形成装置１が、ウェブサーバー装置４に対して楽譜の登録の取り消しを要求する形態でもよい。
【００９０】
（３）図２を参照して説明したように、画像形成装置１はカラー複写機であるが、本発明はこれに限定されない。画像形成装置が用紙Ｐに画像を形成する形態であればよい。例えば、画像形成装置がモノクロ複写機である形態でもよい。また、例えば、画像形成装置が複合機である形態でもよい。
【００９１】
（４）図３を参照して説明したように、画像形成装置１は、人体の不在の検出に応じてファイルサーバー装置３に対してユーザーのログアウトを要求するが、本発明はこれに限定されない。画像形成装置１が、例えば、ユーザーによる操作表示部１１の操作に応じてログアウトを要求する形態でもよい。また、画像形成装置１が、例えば、端末装置５からの指示に応じてログアウトを要求する形態でもよい。
【００９２】
（５）図３を参照して説明したように、画像形成装置１の制御部１６が、ファイルサーバー装置３から一覧データを取得すると共に曲名に対応する画像形成用データを取得するが、本発明はこれに限定されない。画像形成装置１の制御部１６が実行する処理の少なくとも一部を、ユーザーによる操作表示部１１の操作に応じて実行する形態でもよい。例えば、制御部１６がユーザーによる操作表示部１１の操作に応じて一覧データを取得する形態でもよい。
【００９３】
（６）図３を参照して説明したように、ソート条件が曲名のアルファベット順であるが、本発明はこれに限定されない。ソート条件は、例えば、印刷した部数の多い順、登録された年月日が早い順でもよい。また、ソート条件は、例えば、作曲者名のアルファベット順でもよい。
【００９４】
（７）図３を参照して説明したように、フィルター条件は曲名の先頭のアルファベットがＡ〜Ｈであるが、本発明はこれに限定されない。フィルター条件は、作曲者名の先頭のアルファベットが特定範囲である形態でもよい。また、フィルター条件は、画像形成部数の積算値が特定範囲（例えば、零（ゼロ））である形態でもよい。
【００９５】
（８）図５を参照して説明したように、一覧データは、曲名データ、登録年月日データ、及び価格データを含むが、本発明はこれに限定されない。一覧データは、楽譜に関連する種々のデータを含んでいてもよい。例えば、一覧データは、画像形成部数の積算値を示す部数データ、作曲者名を示す作曲者データ、及びアーティスト名を示すアーティストデータのうち少なくとも１つを含んでいてもよい。
【００９６】
（９）図９及び図１０を参照して説明したように、ウェブサーバー装置４はユーザーが利用可能な金額ＣＵを記憶しているが、本発明はこれに限定されない。例えば、クレジットカードを用いて課金処理を行う形態でもよい。この形態では、クレジットカードの利用限度額に基づいて金額ＣＵが決定される。また、例えば、プリペイド方式で課金処理を行う形態でもよい。この形態では、予め所定金額（例えば、１０００円）をウェブサーバー装置４に対して支払い、残額が金額ＣＵに対応する。更に、ウェブマネーを用いて課金処理を行う形態でもよい。
【００９７】
（１０）図９及び図１０を参照して説明したように、画像形成装置１が課金処理を行うが、本発明はこれに限定されない。端末装置５が楽譜の登録を要求するときに、課金処理を行う形態でもよい。
【００９８】
（１１）図９及び図１０を参照して説明したように、画像形成装置１はソースデータを第１画像形成用データとしてファイルサーバー装置３から取得するが、本発明はこれに限定されない。画像形成装置１が、ページ記述言語で記述された第２画像形成用データをファイルサーバー装置３から取得する形態でもよい。
【産業上の利用可能性】
【００９９】
本発明は、画像形成装置及び画像形成システムに利用可能である。
【符号の説明】
【０１００】
１００    画像形成システム
１    画像形成装置
１１    操作表示部
１１１    表示部
１４    画像形成部
１６    制御部
１６１    ログイン実行部
１６２    一覧要求部
１６３    一覧表示制御部
１６４    ソート部
１６５    フィルター部
１６６    選択受付部
１６７    データ要求部
１６８    画像形成制御部
１６９    決定部
１７０    計数部
１７１    不在検出部
１７２    ログアウト要求部
２    プリントサーバー装置
２１    制御部
２１１    取得部
２１２    変換部
３    ファイルサーバー装置
３１    制御部
３１１    判定部
３１２    一覧送信部
３１３    データ送信部
４    ウェブサーバー装置
４１    制御部
５    端末装置
２００    画像形成システム
１    画像形成装置
１６    制御部
１７３    取得部
１７４    変換部
【図１】
2018013975.tif 000003
【図２】
2018013975.tif 000004
【図３】
2018013975.tif 000005
【図４】
2018013975.tif 000006
【図５】
2018013975.tif 000007
【図６】
2018013975.tif 000008
【図７】
2018013975.tif 000009
【図８】
2018013975.tif 000010
【図９】
2018013975.tif 000011
【図１０】
2018013975.tif 000012
【図１１】
2018013975.tif 000013